(57)【特許請求の範囲】
【請求項１】
負荷に電力を供給する電源装置において、
電力線に電磁結合するインダクタンス成分であって、当該インダクタンス成分によって誘起される交流電流を前記負荷側に供給する電流変換手段と、
前記電流変換手段から供給される交流電流を直流電流に整流する整流手段と、
前記整流手段から負荷側に供給される電力レベルを検出する電力検出手段と、
前記電流変換手段と前記整流手段の間に接続され、誘導成分及び／又は容量成分を有し、当該誘導成分及び／又は容量成分を用いて、前記電流変換手段の入力インピーダンスの整合条件を乱して、当該入力インピーダンスを不平衡化するインピーダンス不整合手段と、
前記電力検出手段により検出された電力レベルに基づいて、前記インピーダンス不整合手段による不平衡化を制御する制御手段と、
を備えることを特徴とする
電源装置。
【請求項２】
請求項１に記載の電源装置において、
前記電流変換手段が、前記電力線に取付けられるカレントトランスであることを特徴とする
電源装置。
【請求項３】
請求項１又は２に記載の電源装置において、
前記整流手段から負荷側に供給される電力のうち余剰となる電力を消費する余剰電力消費手段を備え、
前記電力検出手段が、前記余剰電力消費手段で消費される電力レベルを検出することを特徴とする
電源装置。
【請求項４】
請求項１〜３のいずれかに記載の電源装置において、
前記制御手段が、前記電力検出手段で検出された電力値に対して、閾値の上限値で前記インピーダンス不整合手段の誘導成分及び／又は容量成分を増加させ、閾値の下限値で前記インピーダンス不整合手段の誘導成分及び／又は容量成分を減少させ、前記整流手段から負荷側に供給される電力を制御することを特徴とする
電源装置。
【請求項５】
負荷に電力を供給する電力供給方法において、
電力線に電磁結合するインダクタンス成分であって、当該インダクタンス成分によって誘起される交流電流を前記負荷側に供給する電流変換工程と、
前記電流変換工程から供給される交流電流を直流電流に整流する整流工程と、
前記整流工程から負荷側に供給される電力レベルを検出する電力検出工程と、
誘導成分及び／又は容量成分を有し、当該誘導成分及び／又は容量成分を用いて、前記電流変換工程の入力インピーダンスの整合条件を乱して、当該入力インピーダンスを不平衡化するインピーダンス不整合工程と、
前記電力検出工程により検出された電力レベルに基づいて、前記インピーダンス不整合工程による不平衡化を制御する制御工程と、
を含むことを特徴とする
電力供給方法。
【請求項６】
請求項５に記載の電力供給方法において、
前記整流工程から負荷側に供給される電力のうち余剰となる電力を消費する余剰電力消費工程を含み、
前記電力検出工程が、前記余剰電力消費工程で消費される電力レベルを検出することを特徴とする
電力供給方法。
【請求項７】
請求項５〜６に記載の電力供給方法において、
前記制御工程が、前記電力検出工程で検出された電力値に対して、閾値の上限値で前記インピーダンス不整合工程の誘導成分及び／又は容量成分を増加させ、閾値の下限値で前記インピーダンス不整合工程の誘導成分及び／又は容量成分を減少させ、前記整流工程から負荷側に供給される電力を制御することを特徴とする
電力供給方法。
【発明の詳細な説明】
【技術分野】
【０００１】
本発明は、送配電線や接地線（グランドワイヤ）等を含む電力線からの誘導電流を利用して電源を得る電源装置に関し、特に、電力線に流れる電流の変動幅が大きい場合であっても、安定的に電源が得られる電源装置に関する。
【背景技術】
【０００２】
各種の送電線の近傍で利用される電気機器に対して、簡易に電力を供給する手段として、電力線にＣＴ（カレントトランス）を設置することによって、電力線に流れる電流によって生じる誘導電流を利用する電源装置が知られている。【０００３】
例えば、従来の電源装置としては、配電線から交流電流を検出するＣＴと、当該ＣＴのコイルとによって当該交流電流の周波数を共振周波数とする共振回路を構成する共振用コンデンサとを有することによって、ＣＴのコイルと共振用コンデンサとの共振回路により検出出力を増大しようとする電流検出装置がある（特許文献１参照）。【０００４】
また、従来の電源装置としては、例えば、補助電源として配電線にＣＴを装着し、蓄電用の電気二重層コンデンサと、電源供給用の駆動用電池とを備え、当該電気二重層コンデンサ及び駆動用電池の電圧値を電源監視回路が計測することによって、当該電気二重層コンデンサか駆動用電池のいずれかを駆動電源として切替えて使用するものもある（特許文献２参照）。【０００５】
また、従来の電源装置としては、例えば、コアを分割した分割型のＣＴのコアに、送電線と並行して架設された架空地線を貫通して架空地線に発生する誘導電流を取り出す架空地線の誘導電流利用電源装置において、ＣＴの出力電力を増大させる手段、または、ＣＴのコアの切断面の加工精度や複数のＣＴから並列に出力電流を取り出す場合、各ＣＴの特性のばらつきを吸収させ、最大の出力電流を取り出せる出力電圧を実用上問題ない程度まで一致させる手段として、ＣＴの出力端子にコンデンサを接続したことを特徴とする架空地線の誘導電流利用電源装置がある（特許文献３参照）。
【先行技術文献】
【特許文献】
【０００６】
【特許文献１】特開２００２−４８８３１号公報
【特許文献２】特開２０１５−１９４６８号公報
【特許文献３】特開２００６−１９７７５８号公報
【発明の概要】
【発明が解決しようとする課題】
【０００７】
従来の電源装置は、本質的に、出力電力増加を意図したものであり、電力線に流れる電流が小さいか、電流の変動の幅が小さいものに対して効率良く電力を得られるようにしたものである。【０００８】
一般的に、ＣＴは、ある固定の変換比率に基づき、一次側の電流に対して、二次側に強制的に電流が供給されるものである。すなわち、一次側電流が小さい場合は二次側に小さい電流が、一次側電流が大きい場合は二次側に大きい電流が供給されることになる。従って、従来の出力増加を意図した電源装置は、一次電流（この場合、電力線に流れる電流）が小さいか、電流の変動の幅が小さいことが設計上重要である。【０００９】
しかし、実際の電力線に流れる電流は、発電所の出力や電力需要家が必要とする電力量によって決まるため、時間帯や季節、日照条件等によって大きく変動するものである。太陽光発電により供給される電力は日照条件で大きく左右され、火力発電所から供給される電力は電力需要家の夏季ピークに対応するため大きく変動する。例えば、火力発電所から延線される送電用ケーブルの場合、流れる電流は数十アンペアから数千アンペア程度まで、その変動の幅が極めて大きい。【００１０】
従って、このような環境下においてＣＴを用いた電源装置を使用する場合、電流が大きく変動する場合の対処が重要となる。【００１１】
従来の電源装置では、小電流時を基準にして設計された場合では、実際に電力線に大電流が流れた場合にはＣＴ二次側に大きな電流が供給されてしまい、電源装置の回路内で対処できないレベルのジュール熱や過電圧が発生する危険性がある。大電流に対処する方法として、余剰となる供給電力を熱として消費したり、蓄電池に充電させることも考えられるが、放熱も蓄電も対処できる量に限りがあるうえ、必然的に大掛かりな設備が必要となるという問題があった。【００１２】
また、従来の電源装置では、比較的小さい電流で動作するものを一般的な対象としているため、電力網幹線となる送配電線路のように大きな電流が流れる場所で使用する場合には、想定外の過大な電力が供給されてしまい、この過大な電力に対処することが困難となっている。【００１３】
一方で、従来の電源装置において、平均的な電流で動作させるように設計されたとしても、電流が平均より小さくなった場合に不足電力を補う手段が必要となる。【００１４】
また、従来の電源装置においては、不足電力を補う手段として、特にマンホール内のような地中送配電設備の監視機器に対する電源供給に使用される場合には、新たに低圧電力線を敷設することが困難な場合が多いことから、バッテリを使用するケースが一般的であるが、バッテリには寿命があることから、定期的なバッテリ交換作業が必要となり、その交換作業に際しては、マンホール内に入孔するための付帯業務（道路の使用許可申請、マンホールの開蓋作業、マンホール内滞留ガスの排気や排水作業等）が都度必要となり、とりわけ都市部においては夜間の工事が必須となるうえ、交通規制や排水、騒音等により公衆の生活に支障をきたす問題があった。【００１５】
本発明は、前記課題を解消するためになされたものであり、配電線（送電線）や接地線（グランドワイヤ）等を含む電力線に流れる電流の変動に影響されることなく、安定的に継続して電源が得られる電源装置を提供することを目的とする。
【課題を解決するための手段】
【００１６】
本発明は、インダクタンスの１次側と２次側の位相成分を、従来（出力電力増加を意図した技術）とは全く異なる発想で、敢えて意図的に不平衡となるように制御を行い、送電線（配電線）や接地線等を含む電力線に流れる電流に変動が生じたとしても、安定的に継続して電源が得られる電源装置を提供する。【００１７】
すなわち、本願に開示する電源装置は、負荷に電力を供給する電源装置において、電力線に電磁結合するインダクタンス成分であって、当該インダクタンス成分によって誘起される交流電流を前記負荷側に供給する電流変換手段と、前記電流変換手段から供給される交流電流を直流電流に整流する整流手段と、前記整流手段から負荷側に供給される電力レベルを検出する電力検出手段と、前記電流変換手段と前記整流手段の間に接続され、誘導成分及び／又は容量成分を有し、当該誘導成分及び／又は容量成分を用いて、前記電流変換手段の入力インピーダンスの整合条件を乱して、当該入力インピーダンスを不平衡化するインピーダンス不整合手段と、前記電力検出手段により検出された電力レベルに基づいて、前記インピーダンス不整合手段による不平衡化を制御する制御手段と、を備えるものである。【００１８】
このように、本願に開示する電源装置は、前記電流変換手段から供給される交流電流から、前記整流手段により整流された直流電流の電力レベルを前記電力検出手段が検出し、前記インピーダンス不整合手段が、前記誘導成分及び／又は容量成分を用いて、負荷側のインピーダンスの整合条件を乱して、インピーダンスを不平衡化し、前記制御手段が、前記電力検出手段により検出された電力レベルに基づいて、前記インピーダンス不整合手段による不平衡化を制御することから、前記インピーダンス不整合手段によって無効電力を発生させて、余剰となった電力（余剰電力）をジュール熱や過電圧を発生させることなく、電力線側（線路側）に戻されることとなり、電力線に流れる電流に変動が生じたとしても、安全かつ安定的に継続して負荷側に電源を供給することができる。【００１９】
また、本願に開示する電源装置は、必要に応じて、前記電流変換手段が、前記電力線に取付けられるCTであるものである。このように、前記電流変換手段が、前記電力線に取付けられるCTであることから、インダクタンス成分をより容易に取り扱えることとなり、安定的に継続して負荷側に電源を供給することができる。【００２０】
また、本願に開示する電源装置は、必要に応じて、前記整流手段から負荷側に供給される電力のうち余剰となる電力を消費する余剰電力消費手段を備え、前記電力検出手段が、前記余剰電力消費手段で消費される電力レベルを検出する。このように、前記整流手段から負荷側に供給される電力のうち余剰となる電力を消費する余剰電力消費手段を備えることから、余剰電力が発生したとしても効率よく余剰電力を消費できることとなり、より安定的に継続して負荷側に電源を供給することができる。【００２１】
また、本願に開示する電源装置は、必要に応じて、前記制御手段が、前記電力検出手段で検出された電力値に対して、閾値の上限値で前記インピーダンス不整合手段の誘導成分及び／又は容量成分を増加させ、閾値の下限値で前記インピーダンス不整合手段の誘導成分及び／又は容量成分を減少させ、前記整流手段から負荷側に供給される電力を制御することにより、前記制御手段が、閾値を用いて、前記インピーダンス不整合手段の誘導成分及び／又は容量成分を制御することから、所望とする範囲内で、前記インピーダンス不整合手段の誘導成分及び／又は容量成分を制御できることとなり、電力線に流れる電流に変動が生じたとしても、安定的に継続して負荷側に電源を供給することができる。【００２２】
また、本願に開示する電力供給方法は、負荷に電力を供給する電力供給方法において、電力線に電磁結合するインダクタンス成分であって、当該インダクタンス成分によって誘起される交流電流を前記負荷側に供給する電流変換工程と、前記電流変換工程から供給される交流電流を直流電流に整流する整流工程と、前記整流工程から負荷側に供給される電力レベルを検出する電力検出工程と、誘導成分及び／又は容量成分を有し、当該誘導成分及び／又は容量成分を用いて、前記電流変換工程の入力インピーダンスの整合条件を乱して、当該入力インピーダンスを不平衡化するインピーダンス不整合工程と、前記電力検出工程により検出された電力レベルに基づいて、前記インピーダンス不整合工程による不平衡化を制御する制御工程と、を含むものである。【００２３】
このように、本願に開示する電力供給方法は、前記整流工程により整流された直流電流の電力レベルを前記電力検出工程が検出し、前記インピーダンス不整合工程が、前記誘導成分及び／又は容量成分を用いて、負荷側のインピーダンスの整合条件を乱して、インピーダンスを不平衡化し、前記制御工程が、前記電力検出工程により検出された電力レベルに基づいて、前記インピーダンス不整合工程による不平衡化を制御することから、前記インピーダンス不整合工程によって無効電力を発生させて、余剰となった電力（余剰電力）が、適切に電力線側（線路側）に戻されることとなり、電力線に流れる電流に変動が生じたとしても、安定的に継続して負荷側に電源を供給することができる。【００２４】
また、本願に開示する電力供給方法は、必要に応じて、前記整流工程から負荷側に供給される電力のうち余剰となる電力を消費する余剰電力消費工程を含み、前記電力検出工程が、前記余剰電力消費工程で消費される電力レベルを検出する。このように、前記整流工程から負荷側に供給される電力のうち余剰となる電力を消費する余剰電力消費工程を含むことから、余剰電力が発生したとしても効率よく余剰電力を消費できることとなり、より安定的に継続して負荷側に電源を供給することができる。【００２５】
また、本願に開示する電力供給方法は、必要に応じて、前記制御工程が、前記電力検出工程で検出された電力値に対して、閾値の上限値で前記インピーダンス不整合工程の誘導成分及び／又は容量成分を増加させ、閾値の下限値で前記インピーダンス不整合工程の誘導成分及び／又は容量成分を減少させ、前記整流工程から負荷側に供給される電力を制御するものである。このように、前記制御工程が、閾値を用いて、前記インピーダンス不整合工程の誘導成分及び／又は容量成分を制御することから、所望とする範囲内で、前記インピーダンス不整合工程の誘導成分及び／又は容量成分を制御できることとなり、より安定的に継続して負荷側に電源を供給することができる。
【発明の効果】
【００２６】
この発明に係る電源装置は、電力線に流れる電流が大きい場合に発生する余剰電力を無効電力として処理できるため、電力線に流れる電流が小さいときに高結合条件となるＣＴを使用でき、ＣＴの出力電力を増大させる手段やバッテリなどの蓄電手段など、従来の電源装置で必要だった不足電力を補う手段を排除できるとともに、放熱などの余剰電力処理手段を簡素化でき、コンパクトな装置構成とすることができる。
また、この発明に係る電源装置においては、電力線に流れる電流の変化に対応して無効電力の発生量を制御できることから、電力線に流れる電流の変動に影響されることなく、安定的に継続して電源が得ることができる。
これにより、この電源装置の適用分野が広範囲に及ぶものとなり、例えば、マンホール内の地中送配電設備の監視機器の電源として利用することができる。すなわち、電力用マンホール内の監視装置用の電源として使用することによって、新たな低圧電力線の敷設や寿命が問題となるバッテリの使用に代替する電源として有用性が極めて高い。
また、ＣＴを分割型とすれば、当該電源装置をマンホール内の既設の地中送配電線に後付けできるため、必要に応じて設置できる可搬型電源としても活用できるものである。
【図面の簡単な説明】
【００２７】
【図１】本発明の第１の実施形態に係る電源装置の構成図（ａ）、及び、ツェナーダイオードを用いた場合の電力検出手段３の構成図（ｂ）（ｃ）を示す。
【図２】本発明の第１の実施形態に係る電源装置の制御方法のフローチャートを示す。
【図３】本発明の第１の実施形態に係る電源装置の回路図の一例を示す。
【図４】本発明の第１の実施形態に係る電源装置の詳細な回路図の一例を示す。
【図５】本発明の第１の実施形態に係る電源装置の詳細な回路図の一例を示す。
【図６】本発明の第１の実施形態に係る電源装置の通電試験の結果を示す。
【図７】本発明の第２の実施形態に係る電源装置の構成図を示す。
【図８】本発明の第３の実施形態に係る電源装置の構成図（ａ）、及び、ゼロクロス検出手段にダイオードと抵抗を用いた場合の電源装置の構成図を構成図（ｂ）に示す。
【発明を実施するための形態】
【００２８】
（第１の実施形態）
本願の第１の実施形態に係る電源装置を、上記図１〜６に従い説明する。
【００２９】
第１の実施形態に係る電源装置は、図１（ａ）に示すように、負荷１０に電源を供給する電源装置において、電力線１０１（需要家負荷１００に接続される）に電磁結合するインダクタンス成分であって、このインダクタンス成分によって誘起される交流電流をこの負荷側に供給する電流変換手段１と、この電流変換手段１から供給される交流電流を直流電流に整流する整流手段２と、  この電流変換手段１から負荷側に供給される電力レベルを検出する電力検出手段３と、この電流変換手段１と整流手段２の間に接続され、誘導成分及び／又は容量成分を有し、当該誘導成分及び／又は容量成分を用いて、前記電流変換手段１の入力インピーダンスの整合条件を乱して、当該入力インピーダンスを不平衡化するインピーダンス不整合手段４と、この電力検出手段３により検出された電力レベルに基づいて、このインピーダンス不整合手段４による不平衡化を制御する制御手段５と、を備える構成である。
【００３０】
この電流変換手段１は、電力線１０１に電磁結合するインダクタンス成分を有し、交流電流を誘起するものであれば、特に限定されないが、ＣＴを用いることができる。なお、電力線１０１としては、送配電線に限定されず、工場内配線や接地線（グランドワイヤ）など、電流が流れている電線やケーブルであれば、その限りではない。この整流手段２は、特に限定されないが、交流電流を直流電流に整流する整流器を用いることができる。
【００３１】
この電力検出手段３は、前記整流手段２から負荷側に供給される電力レベルを検出可能なものであれば、特に限定されないが、例えば、ツェナーダイオードを用いることが好ましい。ツェナーダイオードを用いることによって、例えば、図１（ｂ）に示すように、電力検出手段３として、ツェナーダイオードと、このツェナーダイオードと直列に接続した検出抵抗Ｒを用いて、この検出抵抗Ｒで発生する電圧Ｖｚｄｒを検出することができる。すなわち、図１（ｂ）に示すように、ツェナーダイオードのツェナー電圧をＶｚｄとして、検出抵抗Ｒに流れる電流をＩｒとすれば、ツェナーダイオードで消費する電力Ｐｚｄは、Ｐｚｄ＝Ｉｒ×Ｖｚｄ＝Ｖｚｄｒ／Ｒ × Ｖｚｄとなる。このうち、ツェナー電圧Ｖｚｄと検出抵抗Ｒは固定値とみなすことができるため、ツェナーダイオードで消費する電力Ｐｚｄは、検出抵抗Ｒで発生する電圧Ｖｚｄｒを測定することによって決定する。このように、検出抵抗Ｒで発生する電圧Ｖｚｄｒを測定することによって、前記整流手段２から負荷側に供給される電力レベルを簡易に検出することが可能となる。
【００３２】
また、例えば、図１（ｃ）に示すように、電力検出手段３として、ツェナーダイオードを含めて構成され、電力検出手段３が、前記電力レベルの検出の際に、このツェナーダイオードで発生する熱を温度センサ等により測定しても良い。
【００３３】
このインピーダンス不整合手段４は、誘導成分及び／又は容量成分を有し、この誘導成分及び／又は容量成分を用いて、電流変換手段１の入力インピーダンスの整合条件を乱して、インピーダンスを不平衡化するものである。
ここで、インピーダンスの不平衡化とは、電流変換手段１の負荷側のインピーダンスと、電源側（電力線１０１側）のインピーダンスとを敢えて整合させないようにすることであり、電流変換手段１の負荷側で誘導成分及び／又は容量成分を用いて電流変換手段１の入力インピーダンスの整合条件を意図的に乱すことにより、これらのインピーダンスを不平衡化とすることである。
従来の電源装置では、これらのインピーダンスを正確に整合させることによって、負荷側に電力を効率的に供給することが主眼とされていたことから、このインピーダンスの不平衡化とは、従来とは全く逆の発想である。
【００３４】
この制御手段５は、この電力検出手段３により検出された電力レベルに応じて、このインピーダンス不整合手段４における誘導成分及び／又は容量成分を増減させる制御を行うことによって、インピーダンス不整合手段４による上述した不平衡化の度合いを制御する。
【００３５】
この制御手段５による好適な制御方法については、例えば、図２のフローチャートに示すように、先ず、電力検出手段３で電力レベルを検出し（Ｓ１）、制御手段５が、この電力検出手段３で検出された電力レベルが、閾値の上限値以上であるかを判断し（Ｓ２）、閾値の上限値以上の場合には、インピーダンス不整合手段４の誘導成分及び／又は容量成分を増加させて（Ｓ３）、電流変換手段１から負荷側へ供給される有効電力を減少させる。
【００３６】
また、制御手段５が、この電力検出手段３で検出された電力レベルが、閾値の下限値以下であるかを判断し（Ｓ４）、閾値の下限値以下の場合には、インピーダンス不整合手段４の誘導成分及び／又は容量成分を減少させて（Ｓ５）、電流変換手段１から負荷側へ供給される有効電力を増加させる。この制御方法によって、安定的に継続した電源供給が実現される。
【００３７】
さらに、上記構成に従って構成される回路図の一例を図３に示す。
【００３８】
図３に示すように、この電流変換手段１としては、電力線１０１に電磁結合するインダクタンス成分を有し、交流電流を誘起するＣＴを用いる。この整流手段２としては、交流電流を直流電流に整流する整流器としてダイオードブリッジによる全波整流回路を用いる。この電力検出手段３は、整流手段２から負荷側の電力レベルを検出可能なものとして、ツェナーダイオード（及びツェナーダイオードと直列に接続した検出抵抗Ｒ２を含む）を用いる。図３では、１つのツェナーダイオードで構成されている例を示しているが、これに限定されず、複数のツェナーダイオードを直列接続することも可能である。
【００３９】
このインピーダンス不整合手段４は、容量成分としてコンデンサを用いる。このインピーダンス不整合手段４は、ＣＴに対して並列接続されるコンデンサとスイッチを備えたコンデンサ部４１から構成される。
【００４０】
このコンデンサ部４１は、インピーダンスを不平衡化するために、コンデンサと直列に接続されたスイッチでコンデンサ回路の有効化／無効化を切替えるスイッチ機構を備える。このインピーダンス不整合手段４は、１つのコンデンサ部４１から構成されることもできるが、より好ましくは複数配設されることであり、制御手段５による前記スイッチ機構によって、複数のコンデンサの投入制御が可能となり、容量成分（キャパシタンス）のON/OFFの切替えのみならず、容量成分の大きさを自在に調整することができ、より段階的に細分化された容量成分の制御を行うことが可能となる。すなわち、コンデンサを複数並列に投入可能なスイッチを備えることによって、電力検出手段３により検出された電力レベルに応じて、制御手段５がコンデンサ投入量を最適に調整することが可能となる。
【００４１】
この制御手段５としては、演算機能を有するマイクロコントローラであるＭＣＵを用いる。このＭＣＵは、この電力検出手段３により検出された電力レベルに応じて、前記コンデンサ部４１におけるスイッチ機構を制御することによって、インピーダンス不整合手段４による不平衡化の度合いを制御する。例えば、この検出された電力レベルが閾値の上限より大きい場合には、スイッチ機構を制御することによって、インピーダンス不整合手段４に配されたコンデンサを有効化（もしくはコンデンサの有効接続数を増加）させて、容量成分を増加させる。また、例えば、この検出された電力レベルが閾値の下限より小さい場合には、スイッチ機構を制御することによって、インピーダンス不整合手段４に配されたコンデンサを無効化（もしくはコンデンサの有効接続数を減少）させて、容量成分を減少させる。
【００４２】
本実施形態では、制御手段５が、インピーダンス不整合手段４におけるコンデンサ部４１の容量成分の増減をスイッチ機構で制御することによって、経時的に変化する電源装置の有効電力の発生状況に応じて、最適な有効電力の制御（すなわち、無効電力の制御）を安定的に継続して行うことができる。
【００４３】
以上の構成によって、インピーダンス不整合手段４によって無効電力を発生させて、負荷側に生じる負荷電流の程度に応じて、余剰となった電力（余剰電力）が、最適に電力線１０１側（線路側）に戻されることとなり、電力線１０１に流れる電流に大きく変動が生じる状況であっても、安定的に継続して負荷側に電源を供給することができる。
【００４４】
さらに、本実施形態に係る電源装置は、無効電力の増減を制御できることで、電力線１０１に流れる電流が少ないに条件に合せた高結合度のＣＴとすることができ、電力線１０１に流れる電流が多いときの余剰電力を対処する手段も兼ね備えたダイナミックレンジ対応型のコンパクトな装置構成が実現される。
【００４５】
このような構成に基づく本実施形態に係る電源装置の詳細な回路図の一例を、図４に示す。電流変換手段１は、電力線１０１としての電力ケーブルに電磁結合するインダクタンス成分を有し、交流電流を誘起するＣＴを用いる。整流手段２は、交流電流を直流電流に整流する整流器としてダイオードブリッジによる全波整流回路を用いる。
【００４６】
電力検出手段３は、ツェナーダイオードと、このツェナーダイオードと直列に接続した１．５Ωの検出抵抗Ｒを用いる。ツェナーダイオードは、ツェナー電圧が６Ｖで定格５Ｗのものを４個直列に接続し、ツェナー電圧が２４Ｖで最大２０Ｗの電力に耐えられるようにしている。図４では、複数のツェナーダイオードで構成されている一例として、４個直列に接続したケースを示しているが、この個数についてはあくまで例示であり、これに限定されず、複数（２個以上）のツェナーダイオードであれば特に限定されない。
【００４７】
制御手段５で用いる電力検出手段３の閾値は、ツェナーダイオードで消費される電力であるが、以下の説明のとおり、検出抵抗Ｒに発生する電圧を用いている。ツェナーダイオードのツェナー電圧をＶｚｄとして、検出抵抗Ｒに流れる電流をＩｒとすれば、ツェナーダイオードで消費する電力Ｐｚｄは、Ｐｚｄ＝Ｉｒ×Ｖｚｄ＝Ｖｚｄｒ／Ｒ × Ｖｚｄとなる。このうち、ツェナー電圧Ｖｚｄは２４Ｖで、検出抵抗Ｒは１．５Ωの固定値であるため、ツェナーダイオードで消費する電力Ｐｚｄは、検出抵抗Ｒで発生する電圧Ｖｚｄｒを測定することによって決定する。電力検出手段３の上限の閾値を４Ｗ、下限の閾値を０．４Ｗに設定すると、検出抵抗Ｒの電圧Ｖｚｄｒは、Ｖｚｄｒ＝Ｐｚｄ／Ｖｚｄ×Ｒ＝Ｐｚｄ／２４×１．５により計算され、それぞれ、約２５０ｍＶ、約２５ｍＶとなる。
【００４８】
このように、ツェナーダイオードで消費される電力を検出抵抗Ｒで発生する電圧Ｖｚｄｒを測定し、制御手段５で用いる電力検出手段３で検出する閾値として使用することができる。
【００４９】
インピーダンス不整合手段４は、容量成分としてコンデンサを用い、それぞれ異なる静電容量を有する４つのコンデンサ部４１で構成する。また、各コンデンサ部４１には、ＯＮ／ＯＦＦが可能なスイッチを有している。コンデンサ部４１のコンデンサは、理想的な静電容量をもつフィルムコンデンサまたはセラミックコンデンサを使用し、静電容量は、それぞれ２０μＦ、４０μＦ、８０μＦ、１６０μＦとしている。
【００５０】
制御手段５は、マイクロコントローラ（ＭＣＵ）を用い、当該ＭＣＵでコンデンサ部４１に備えたスイッチのＯＮ／ＯＦＦを制御できる構成としている。これにより、インピーダンス不整合手段４の容量成分は、２０μＦ刻みで０〜３００μＦまで１６段階の調整が可能となる。
【００５１】
また、負荷１０の前段に、当該負荷１０に安定した１２Ｖの直流電圧を供給するＤＣ／ＤＣコンバータ１０Ａと、ＭＣＵの駆動に必要な５Ｖの直流電圧を供給するＤＣ／ＤＣコンバータ１０Ｂを設けている。
【００５２】
以上のような回路構成を成す電源装置を用いて、電力線１０１としてのケーブルに、ＣＴを電磁結合させ、ケーブルの通電電流を６０〜２，０００Ａｒｍｓまで変化させ、負荷１０で１Ｗ消費させた状態で、電力検出手段３で検出されるツェナーダイオードの消費電力を測定した結果を図６に示す。
なお、図６中の丸囲い数字は、インピーダンス不整合手段４におけるコンデンサの投入番号（投入ナンバー）を示し、番号が１増すごとにコンデンサの静電容量が２０μFずつ増える。
【００５３】
得られた結果から、本実施形態に係る電源装置では、ケーブル通電電流の増減に応じて、適切に電力制御ができていることを確認した。また、電力線１０１のケーブル通電電流が６０Ａｒｍｓ以上あれば、１Ｗの電力が安定的に供給可能であることが確認された。なお、ケーブル通電電流が１，８００Ａｒｍｓ以上のときは、インピーダンス不整合手段４による容量成分の増加が限界に達し、電力検出手段３で検出する閾値の上限である４Ｗを超過しているが、通電電流が２，０００Ａｒｍｓのときもツェナーダイオードの定格である２０Ｗを大きく下回っていることから、本実施形態に係る電源装置に問題が無いことを確認した。
【００５４】
図５に示すように、本実施形態に係る電源装置は、上記構成の電源装置の構成を１つ備えて、需要家負荷１００に接続された電力線１０１に電磁結合するという構成に限定されず、例えば、電力系統が異なる複数の電力線１０１が存在する場合、上記構成の電源装置の電流変換手段１、整流手段２および電力検出手段３の構成体を一つの電源装置に複数備えることによって、一方と他方の構成体をそれぞれ別々の電力系統となる電力線１０１に装着することで、一方または他方の構成体を予備として機能させることも可能である。すなわち、一方または他方の電力系統が停止しても、片側の構成体からの電源供給が途絶えることが無いため、安定して電力を供給することが可能となる。
【００５５】
また、両方の電力系統が正常に電力供給されていれば、電源装置の構成体が複数あれば得られる電力が増加することは言うまでもない。
【００５６】
（第２の実施形態）
本願の第２の実施形態に係る電源装置を、上記図７に従い説明する。
【００５７】
本願の第２の実施形態に係る電源装置は、上述した第１の実施形態に係る電源装置の構成に加え、図７に示すように、前記整流手段から負荷側に供給される電力にのうち余剰となる電力を消費する余剰電力消費手段６と、この余剰電力消費手段６で消費される電力レベルを検出する前記電力検出手段３として機能する余剰電力検出手段３ａと、を備える構成である。
【００５８】
この余剰電力消費手段６としては、定電圧回路を用いることができる。この定電圧回路としては、ツェナーダイオードや、定電圧レギュレータを用いることができる。ツェナーダイオードの場合は、ツェナー電圧を超える電圧が印加されようとすると、定電圧を保つためダイオードの通電電流が増加し、ツェナーダイオード自身が電力を消費する。
【００５９】
また、定電圧レギュレータの場合は、定電圧を保つレギュレータ出力側（負荷側）に対しレギュレータの入力側の電圧が高くなり、入出力間の電位差大きくなるのに従って、レギュレータ自身が発熱して電力を消費する。
【００６０】
ツェナーダイオードを用いる場合の構成例としては、余剰電力消費手段６は、１または複数のツェナーダイオードで構成され、当該ツェナーダイオードが、整流手段２と負荷１０との間に並列に接続される構成とすることができる。この構成によって、電力線１０１の電流が増加し、電流変換手段１から過大な電力が供給された場合に、ツェナーダイオードのインピーダンスが低下することによって、当該過大な電力が余剰電力としてツェナーダイオードで消費されることとなり、制御手段５によるインピーダンス不整合手段４の適切なインピーダンス調整が間に合わないような急激な電力供給があった場合でも、ツェナーダイオードで過大な電力が余剰電力として処理されることとなり、急激な電力供給の変化に対して即座に対処することが可能となる。
【００６１】
前記余剰電力検出手段３ａとしては、この定電圧回路の電力レベルを検出する。この電力レベルとしては、電流、電圧、温度などが含まれる。すなわち、前記余剰電力検出手段３ａの検出対象としては、定電圧回路の通電電流、電圧降下、温度などが含まれる。
【００６２】
この構成によって、前記整流手段２から負荷側に供給される電力のうち余剰となる電力を消費する余剰電力消費手段６を備えることから、インピーダンス不整合手段４で余剰電力を処理する量を余剰電力消費手段６でも負担することができ、インピーダンス不整合手段４の装置構成を簡素化できる。また、制御手段５でインピーダンス不整合手段４を制御することにより、余剰電力消費手段６の消費電力を調整することができるため、余剰電力処理手段６の処理能力超過による熱暴走などの問題を防止することができる。
【００６３】
また、余剰電力消費手段６を備えることにより、負荷１０の消費電力が変動しても、余剰電力消費手段６による電力消費で変動分を吸収することが可能となり、負荷変動に強い電源装置を実現することができる。
【００６４】
（第３の実施形態）
本願の第３の実施形態に係る電源装置を、上記図８に従い説明する。
【００６５】
本願の第２の実施形態に係る電源装置は、上述した第２の実施形態に係る電源装置の構成に加え、図８（ａ）に示すように、前記インピーダンス不整合手段４として、容量成分を成す複数のコンデンサと、当該コンデンサを前記制御手段で入切可能なスイッチを備えると共に、前記制御手段５として、前記電流変換手段から前記負荷側に供給される交流電圧のゼロクロス検出手段５ａを備え、  前記制御手段５が、前記ゼロクロス検出手段５ａにより交流電圧がゼロクロスするタイミングで、前記インピーダンス不整合手段４のスイッチを入切する構成である。
【００６６】
このインピーダンス不整合手段４のスイッチは、半導体リレーを用いることができる。ゼロクロス検出手段５ａは、前記インピーダンス不整合手段４の交流電圧を測定する他、例えば、図８（ｂ）に示すように、整流手段２より負荷側の出力の一端をコモン（ＣＯＭ）とし、２つのダイオードＤ１およびＤ２と分圧抵抗ｒ１およびｒ２を設け、分圧抵抗ｒ２をコモンに接続したとき、分圧抵抗ｒ２で検出される電圧がゼロボルトに近くなるタイミングを検知することによって、ゼロクロス検出を行うことも可能である。そのほか、ゼロクロススイッチ機能を備えた半導体リレーを使用しても良い。
【００６７】
このゼロクロス検出手段５ａを備える構成によって、インピーダンス不整合手段４のスイッチを、確実に電圧がゼロに近い状態で入切できることとなり、コンデンサやスイッチに大きな突流電流が流れることを防ぎ、回路の故障やノイズの発生を回避することができる。
【００６８】
（その他の実施形態）
なお、上記実施形態では、前記制御手段５が、容量成分のみを用いて負荷側のインピーダンスを不平衡化したが、このように、容量成分のみを用いることに限定されない。例えば、その他の実施形態としては、前記制御手段５が、前記インダクタンス成分の少なくとも一部を用いて、インピーダンスを不平衡化することも可能である。すなわち、前記容量成分及び前記インダクタンス成分の２成分を組み合わせて制御を行うことによって、インピーダンスを不平衡化することも可能である。
【００６９】
このように、前記制御手段５が、インピーダンスの不平衡化に、前記容量成分及び前記インダクタンス成分の２成分を用いることから、前記容量成分及び前記インダクタンス成分の２成分を組み合わせて、より柔軟且つ効率的にインピーダンスを不平衡化できることとなり、電力線１０１に流れる電流に大きな変動が生じたとしても、当該２成分を組み合わせて調整することによって、インピーダンスの不平衡化をきめ細かく制御することができ、安定的に継続して負荷側に電源を供給することができる。
【００７０】
なお、前記制御手段５は、前記インピーダンス不整合手段４で投入した容量成分と前記電力線に流れる電流を対応させることにより、電力線の電流を測定することも可能である。この構成によって、前記負荷側で直接検知できない電力線の電流を容易に把握することが可能となる。
【符号の説明】
【００７１】
１  電流変換手段
２  整流手段
３  電力検出手段
３ａ  余剰電力検出手段
４  インピーダンス不整合手段
４１  コンデンサ部
５  制御手段
５ａ  ゼロクロス検出手段
６  余剰電力消費手段
１０  負荷
１０Ａ  ＤＣ／ＤＣコンバータ
１０Ｂ  ＤＣ／ＤＣコンバータ
１００  需要家負荷
１０１  電力線
【要約】
電力線に流れる電流の変動に影響されることなく、安定的に継続して電源が得
られる電源装置を提供する。
負荷に電力を供給する電源装置において、電力線に電磁結合するインダクタンス成分であって、当該インダクタンス成分によって誘起される交流電流を前記負荷側に供給する電流変換手段と、前記電流変換手段から供給される交流電流を直流電流に整流する整流手段と、前記整流手段から負荷側に供給される電力レベルを検出する電力検出手段と、前記電流変換手段と前記整流手段の間に接続され、誘導成分及び／又は容量成分を有し、当該誘導成分及び／又は容量成分を用いて、前記電流変換手段の入力インピーダンスの整合条件を乱して、当該入力インピーダンスを不平衡化するインピーダンス不整合手段と、前記電力検出手段により検出された電力レベルに基づいて、前記インピーダンス不整合手段による不平衡化を制御する制御手段と、を備える。
【選択図】図１【図１】
0006351884.tif 000002
【図２】
0006351884.tif 000003
【図３】
0006351884.tif 000004
【図４】
0006351884.tif 000005
【図５】
0006351884.tif 000006
【図６】
0006351884.tif 000007
【図７】
0006351884.tif 000008
【図８】
0006351884.tif 000009